(57)【要約】【課題】掛止部を具備しない水準器であっても簡易操作で容易に保持できる水準器専用の携帯ホルダーを提供すること。【解決手段】作業者Ｗが装着する腰ベルト１に取り付けられる取付部２に、水準器３を着脱自在に保持可能な保持部４が設けられている水準器ホルダーＡであって、保持部４は、正面開口部11を介して水準器３の一端部を挿入してこの一端部を押し付ける受底部12と、この受底部12に水準器３の一端部を押し付けながら正面開口部11を介して倒し回動挿入してこの水準器３が介在される保持側部13とを備えた収納部５で構成されていて、この収納部５に倒し回動挿入されて収納される水準器３に係止する係止部14が保持側部13に設けられている水準器ホルダー。【選択図】図２
2019191090.tif 000002
【特許請求の範囲】
【請求項１】
作業者が装着する腰ベルトに取り付けられる取付部に、水平度又は垂直度を測定するための水準器を着脱自在に保持可能な保持部が設けられている水準器ホルダーであって、前記保持部は、正面開口部を介して前記水準器の一端部を挿入してこの一端部を押し付ける受底部と、この受底部に前記水準器の一端部を押し付けながら前記正面開口部を介して倒し回動挿入してこの水準器が介在される保持側部とを備えた収納部で構成され、この収納部に前記倒し回動挿入されて収納される前記水準器に係止する係止部が前記保持側部に設けられていることを特徴とする水準器ホルダー。
【請求項２】
前記保持側部に可動自在な係止爪部が設けられて、この係止爪部が前記係止部として構成され、前記収納部の前記正面開口部から前記水準器が倒し回動挿入されて前記保持側部間に押し込み挿入される際に、前記係止爪部を外側へ可動させると共に、この係止爪部が戻り付勢により前記水準器に係止して水準器が収納保持されるように構成されていることを特徴とする請求項１記載の水準器ホルダー。
【請求項３】
前記保持側部に、外側へ撓み可動自在な可動片が切り出し形成され、この可動片に前記係止部が設けられていることを特徴とする請求項１，２のいずれか１項に記載の水準器ホルダー。
【発明の詳細な説明】
【技術分野】
【０００１】
本発明は、作業者が腰ベルトに掛止め装着して使用する水準器ホルダーに関するものである。
【背景技術】
【０００２】
水準器を携帯できるツールホルダーとしては、従来、実用新案登録第３０９８３０５号（特許文献１）に示されるものがある。
【０００３】
この特許文献１を簡単に説明すると、作業者が装着する腰ベルトに取付け可能な取付部に、ツールを掛止め可能なカラビナが付設されて成る汎用のツールホルダーであり、シャックルなどの掛止部を具備する水準器であれば、掛止部をカラビナに掛止めて携帯することも可能である。
【先行技術文献】
【特許文献】
【０００４】
【特許文献１】実用新案登録第３０９８３０５号公報
【発明の概要】
【発明が解決しようとする課題】
【０００５】
上記特許文献１のように、水準器も掛止めて携帯可能な汎用ツールホルダーは従来から実施されているが、水準器専用設計の携帯用ホルダーはこれまでにない。
【０００６】
また、特許文献１のような汎用ツールホルダーは、シャックルなどの掛止部を具備する水準器しか利用できなかった。
【０００７】
本発明は、この点、水準器専用であって、シャックルなどの掛止部を具備しない水準器であっても簡易操作により容易に保持できる実用性に優れた水準器ホルダーを提供するものである。
【課題を解決するための手段】
【０００８】
添付図面を参照して本発明の要旨を説明する。
【０００９】
作業者Ｗが装着する腰ベルト１に取り付けられる取付部２に、水平度又は垂直度を測定するための水準器３を着脱自在に保持可能な保持部４が設けられている水準器ホルダーＡであって、前記保持部４は、正面開口部11を介して前記水準器３の一端部を挿入してこの一端部を押し付ける受底部12と、この受底部12に前記水準器３の一端部を押し付けながら前記正面開口部11を介して倒し回動挿入してこの水準器３が介在される保持側部13とを備えた収納部４で構成され、この収納部４に前記倒し回動挿入されて収納される前記水準器３に係止する係止部14が前記保持側部13に設けられていることを特徴とする水準器ホルダーに係るものである。
【００１０】
また、前記保持側部13に可動自在な係止爪部14が設けられて、この係止爪部14が前記係止部14として構成され、前記収納部４の前記正面開口部11から前記水準器３が倒し回動挿入されて前記保持側部13間に押し込み挿入される際に、前記係止爪部14を外側へ可動させると共に、この係止爪部14が戻り付勢により前記水準器３に係止して水準器３が収納保持されるように構成されていることを特徴とする請求項１記載の水準器ホルダーに係るものである。
【００１１】
また、前記保持側部13に、外側へ撓み可動自在な可動片24が切り出し形成され、この可動片24に前記係止部14が設けられていることを特徴とする請求項１，２のいずれか１項に記載の水準器ホルダーに係るものである。
【発明の効果】
【００１２】
本発明は上述のように構成したから、水準器の一端部を保持部に挿入してこの一端部を受底部に押し付けながら正面開口部を介して倒し回動挿入するだけの簡易な一連操作のうちに水準器を保持部に収納係止保持でき、シャックルなどの掛止部を具備していない水準器であっても保持部に容易に保持できる極めて実用性に優れた水準器ホルダーとなる。
【００１３】
また、請求項２，３記載の発明においては、水準器の一端部を受底部に押し付けながら正面開口部を介して倒し回動挿入した際に水準器に係止して水準器を保持部（収納部）に収納保持する係止部を、簡易構成にして容易に設計実現可能となる一層実用性に優れた構成の水準器ホルダーとなる。
【図面の簡単な説明】
【００１４】
【図１】本実施例を示す斜視図である。
【図２】本実施例の保持部に水準器を収納しようとする様子を示す斜視図である。
【図３】本実施例の保持部に水準器を収納しようとする状態から、保持部に水準器が収納保持された状態に至るまでの作動を示す説明平面図である。
【図４】本実施例の使用状態を示す概略説明斜視図である。
【図５】本実施例の使用状態を示す説明側面図である。
【図６】図４，図５の使用状態から、閉止用穴部より落下防止コードの連結環を外してベルト掛部の下部開放部を開いた状態を示す説明側面図である。
【図７】本実施例の保持部に対して、その上部開口部から水準器をスライド挿入収納しようとする様子を示す説明正面図である。
【発明を実施するための形態】
【００１５】
好適と考える本発明の実施形態を、図面に基づいて本発明の作用を示して簡単に説明する。
【００１６】
本発明の水準器ホルダーＡは、取付部２を介して作業者Ｗが装着している腰ベルト１に取付けできる。そして、水準器ホルダーＡの保持部４に水準器３を着脱自在に保持して水準器３を携帯可能である。
【００１７】
また、水準器ホルダーＡの保持部４について具体的に説明すると、正面開口部11を介して水準器３の一端部を挿入してこの一端部を押し付ける受底部12と、この受底部12に水準器３の一端部を押し付けながら前記正面開口部11を介して倒し回動挿入してこの水準器３が介在される保持側部13とを備えた収納部４で構成され、さらにこの収納部４に前記倒し回動挿入されて収納される水準器３に係止する係止部14が前記保持側部13に設けられたものとなっている。
【００１８】
このように構成されている保持部４への水準器３の保持の仕方は、前記正面開口部11を介して水準器３の一端部を挿入し、この水準器３の一端部を前記受底部12に押し付けながら前記正面開口部11を介して倒し回動挿入すると、保持側部13に水準器３が介在されると共に、水準器３に係止部14が係止して保持部４（収納部４）に水準器３が収納された状態で保持される。
【００１９】
従って、上記のような簡易な一連の操作によって水準器３を保持部４に収納係止保持でき、また、従来の汎用ツールホルダーのように掛止部を掛止めて保持する構成でないので、掛止部（シャックルなど）を具備していない水準器３であっても保持部４に保持して携帯可能である。
【実施例】
【００２０】
本発明の具体的な実施例について図面に基づいて説明する。
【００２１】
本実施例の水準器ホルダーＡは、作業者Ｗが装着する腰ベルト１に取り付けられる取付部２に、水準器３を着脱自在に保持可能な保持部４が設けられている。
【００２２】
ここで、本実施例の水準器３を簡単に説明すると、図２，図７に示すように、やや厚みのある横長方形板状の器体15に、この器体15の外部から視認可能な複数の測定用気泡管16が設けられている。
【００２３】
また、この水準器３は、器体15の表裏板面と直交する長手方向の一側面部が測定用基準底部17として構成され、この測定用基準底部17を測定物にあてがうことで水平度，垂直度及び斜度を測定可能に構成されている（水平度，垂直度及び斜度を測定可能な前記測定用気泡管16を具備している。）。
【００２４】
また、この器体15の長手方向の両端部には、既存のカラビナタイプの工具ホルダーに掛止めたり、落下防止コード８の連結環９を掛止めたりすることが可能なシャックル18が設けられている。
【００２５】
また、図示した落下防止コード８について簡単に説明すると、伸縮可能な合成樹脂製のコード部19の両端部に連結環９が設けられているものが採用されている（図４参照）。
【００２６】
以下、本実施例を具体的に説明する。
【００２７】
本実施例の水準器ホルダーＡの取付部２は、前記腰ベルト１に掛止めて取付可能なベルト掛部２に構成されている。
【００２８】
このベルト掛部２は、例えば合成樹脂製であって、図１，図２，図５，図６に示すように、上部に折り返し部を有し下部が開放する側面視逆Ｕ字状の板状体に構成（一体成形）され、下部開放部５から前記腰ベルト１が挿入されるようにして腰ベルト１に上方から掛止可能に構成されている。
【００２９】
また、このベルト掛部２の前後の遊離下端部には、双方にリング状突片20が設けられ（一体成形され）ていて、この前後双方のリング状突片20の穴部６が近接若しくは重合（図面は近接）されることによって閉止用穴部７が形成されるように構成されている（図１参照）。尚、リング状突片20を設けることなく、ベルト掛部２の前後の遊離下端部の双方に貫通穴を形成してこの貫通穴が前記穴部６として構成されていても良い。
【００３０】
また、ベルト掛部２は、常態で前記閉止用穴部７が形成される側面視逆Ｕ字形態（前後の穴部６が近接配設する形態）に構成されていて、前後の遊離下端部を互いに離反するように撓ませる（弾性変形させる）ことで、前記下部開放部５を広く開くことができるように構成されている。
【００３１】
また、このベルト掛部２には、その前後の内面の双方に、このベルト掛部２を前記腰ベルト１に掛止めた際にこの腰ベルト１の下方に位置して腰ベルト１からの抜脱を阻止する抜脱阻止用突起部10が設けられている。
【００３２】
更に詳しくは、ベルト掛部２の前後の対向内面の双方に、その横幅いっぱいに表出する横長凸条10が設けられ（一体成形され）ていて、この横長凸条10が前記抜脱阻止用突起部10として構成されている。
【００３３】
また、ベルト掛部２の後側（作業者Ｗに沿わせる側）の内面に設けられている抜脱阻止用突起部10は、ベルト掛部２の前側の内面に設けられている抜止阻止用突起部10より上方に配置されており、前記腰ベルト１に掛止められたこのベルト掛部２の遊離下端部を互いに離間するように撓ませて前記下部開放部５を開くことにより、前記腰ベルト１を前記上下の抜脱阻止用突起部10が乗り越えるようにして前記下部開放部５から抜脱させることができてこのベルト掛部２を前記腰ベルト１から外すことができるように構成されている（図６参照）。尚、この抜脱阻止用突起部10は、ベルト掛部２の前後の内面のいずれか一方にだけ設けられていても良い。
【００３４】
本実施例は、前記保持部４に水準器３を保持した際、この水準器３のシャックル18に一端の連結環９が連結されて水準器３に装着されている前記落下防止コード８の他端の連結環９を前記閉止用穴部７に連結することにより、前記ベルト掛部２の前記下部開放部５が閉止状態となって前記抜脱阻止用突起部10が前記腰ベルト１より上方へ移動できず、本水準器ホルダーＡの腰ベルト１からの抜脱が阻止されるように構成されており（図４，図５参照）、閉止用穴部７から落下防止コード８の他端の連結環９の連結を外し、前記腰ベルト１に掛止められたこのベルト掛部２の遊離下端部を互いに離間するように撓ませて前記下部開放部５を開くことにより、前記腰ベルト１を前記抜脱阻止用突起部10が乗り越えるようにして前記下部開放部５から抜脱させることができて、このベルト掛部２を前記腰ベルト１から外すことができるように構成されている（図６参照）。
【００３５】
本実施例の水準器ホルダーＡの保持部４は、前記ベルト掛部２とは別部品で構成されてベルト掛部２に取付けられている。
【００３６】
また、この保持部４は、正面開口部11を介して前記水準器３の一端部を挿入してこの一端部を押し付ける受底部12と、この受底部12に前記水準器３の一端部を押し付けながら前記正面開口部11を介して水準器３の一端部を支点に倒し回動挿入してこの水準器３が介在される保持側部13とを備えた収納部４で構成されている。
【００３７】
具体的には、保持体４は、例えば合成樹脂製であって、図１〜図３に示すように、前記水準器３の器体15の表裏板面のいずれか一面を沿設させる縦長方形板状の背側部21（背板部）と、この背側部21の左右両端部から背側部21の板面と直交する前方に突設して，水準器３の前記測定用基準底部17とこの測定用基準底部17の反対側面とを沿設させながら水準器３を介在させる側板部13とから成る平面視コ字状体に構成（一体成形）されており、この左右の側板部13が前記保持側部13として構成され、左右の保持側部13の突出先端（前端）間の開口部が前記正面開口部11として構成され、左右の保持側部13の上端間の開口部が上部開口部22として構成されている。
【００３８】
また、この左右の保持側部13は、前記水準器３の板厚方向の寸法より大きい前方突出幅寸法を有して、この左右の保持側部13間に水準器３を挿入し介在（収納）させると、左右の保持側部13の突出先端が水準器３の前側の板面より前方にまで突出配設して、水準器３の保護機能をも発揮するように構成されている。
【００３９】
また、さらにこの左右の保持側部13は、夫々の下端が対向内側に直角に折曲された形状に構成（一体成形）されていて、この折曲下端部の上面が前記受底部12として構成されている。即ち、本実施例の受底部12は、左右二箇所に設けられて、この二箇所の受底部12で水準器３の長手方向の一端部を支持して左右の保持側部13間に介在収納可能に構成され、この際左右の受底部12間に空間部を有することにより、図示したような端部にシャックル18を具備する水準器３も、この空間部でシャックル18を逃げつつ水準器３端部を支持可能となるように構成されている。
【００４０】
また、図２，図３に示すように、この受底部12に支持した水準器３の一端部を支点にして、水準器３を前記収納部４に前記倒し回動挿入した際（水準器３を左右の保持側部13間に介在させた際）に、この水準器３の外面に係止する係止部14が前記保持側部13に設けられている。
【００４１】
具体的には、左右の前記保持側部13に可動自在な係止爪部14が設けられ、この係止爪部14が前記係止部14として構成されていて、前記収納部４の前記正面開口部11から前記水準器３が倒し回動挿入されて前記保持側部13間に押し込み挿入される際に、前記係止爪部14が、水準器３の保持側部13内面と向かい合う外面に接することで外側へ可動させられ、水準器３が前記背側部21に近接若しくは当接状態となるまで押し込まれると、この係止爪部14が水準器３の保持側部13内面と向かい合う外面を乗り越えて後述する可動片24の戻り付勢により前記水準器３の前側の板面の上部寄り左右端部に係止し、これによって水準器３が収納保持されるように構成されている（図３参照）。
【００４２】
即ち、水準器３の一端部を保持部４に挿入してこの一端部を受底部12に押し付けながら正面開口部11を介して倒し回動挿入するだけの簡易な一連操作のうちに水準器３を保持部４に収納保持でき、この収納保持状態から水準器３を上方へスライド移動させることで、前記上部開口部22から水準器３を容易に取り外すことができるように構成されている。
【００４３】
更に詳しくは、図１，図２に示すように、左右の前記保持側部13の上側寄りに、この各保持側部13にコ字状の切込み23を形成することによって前側が保持側部13に対し内外方向に撓み可動可能な可動片24が切り出し形成され、さらにこの可動片24の可動先端（前端）が図１，図３に示すような爪形状に形成されて、この先端爪形部が前記係止爪部14として構成されている。
【００４４】
また、この保持部４には、前記上部開口部22から（上方から）水準器３を作業者Ｗが手でスライド挿入して保持することも可能であり（図７参照）、この際、水準器３のスライドをガイドするガイド凸条25が、左右の前記保持側部13の対向内側面と、前記背側部21の正面開口部11側の前面とに多数並設状態に設けられ（一体成形され）ている。
【００４５】
また、本実施例の保持部４の前記ベルト掛部２への取付構造は、前記背側部21の後面が前記ベルト掛部２の前側遊離板部の前面に重合状態に付設されている。
【００４６】
尚、本発明は、本実施例に限られるものではなく、各構成要件の具体的構成は適宜設計し得るものである。
【符号の説明】
【００４７】
１  腰ベルト
２  取付部
３  水準器
４  保持部・収納部
11  正面開口部
12  受底部
13  保持側部
14  係止部・係止爪部
24  可動片
Ａ  水準器ホルダー
Ｗ  作業者
【図１】
2019191090.tif 000003
【図２】
2019191090.tif 000004
【図３】
2019191090.tif 000005
【図４】
2019191090.tif 000006
【図５】
2019191090.tif 000007
【図６】
2019191090.tif 000008
【図７】
2019191090.tif 000009